(57)【要約】      （修正有）【課題】遊技盤の破損を抑制する遊技機を提供する。【解決手段】遊技盤１の、外ガイドレール２０と内ガイドレール３０との間に、発射装置によって発射された遊技球を遊技領域Ｒに案内する案内通路Ｓ１が形成されるとともに、内ガイドレール３０によって、遊技領域Ｒを区画する。また、遊技領域Ｒにおける内ガイドレール３０の内側に配設された装飾部材を備えている。そして、装飾部材は、内ガイドレール３０の内側への変形を抑止する変形抑止部４４を設ける。【選択図】図２
2015163266.tif 000002
【特許請求の範囲】
【請求項１】
遊技領域が形成される遊技板と、該遊技板に取り付けられる外ガイドレール及び内ガイドレールと、を備え、
前記外ガイドレールと前記内ガイドレールとの間に、発射装置によって発射された遊技球を前記遊技領域に案内する案内通路が形成されるとともに、
前記内ガイドレールによって、前記遊技領域を区画する遊技機であって、
前記遊技領域における前記内ガイドレールの内側に配設された装飾部材を備え、
前記装飾部材は、前記内ガイドレールの内側への変形を抑止する変形抑止部を有することを特徴とする遊技盤。
【請求項２】
前記変形抑止部は、
前記内ガイドレールの内面に対して所定の間隔で配設されていることを特徴とする請求項１に記載の遊技盤。
【請求項３】
前記変形抑止部は、
前記内ガイドレールの内面と並行な抑止面を有することを特徴とする請求項１又は２に記載の遊技盤。
【請求項４】
前記装飾部材は、
前記遊技球が入賞可能な入賞口を有し、
前記変形抑止部が配設されている位置は、
前記入賞口が配設されている位置に対して上方であることを特徴とする請求項１乃至３のうちいずれか一項に記載の遊技盤。
【発明の詳細な説明】
【技術分野】
【０００１】
本発明は、遊技機に配設される遊技盤に関する。
【背景技術】
【０００２】
従来、外ガイドレールと内ガイドレールとによって、発射装置により発射された遊技球を遊技領域に案内する案内通路が形成された遊技盤が知られている（特許文献１参照）。
この遊技盤では、内ガイドレールは、遊技板に設けられた挿入孔に挿入された挟持支持ピンに挟持されることによって、遊技板に固定されている。
【先行技術文献】
【特許文献】
【０００３】
【特許文献１】特開２００８−４３４３３号公報
【発明の概要】
【発明が解決しようとする課題】
【０００４】
しかしながら、特許文献１に係る遊技盤では、遊技盤が破損する恐れがある。
すなわち、近年の遊技盤では、遊技領域及び案内通路を広く確保するために、内ガイドレールが薄く形成されている。
しかしながら、内ガイドレールが薄く形成されると、遊技領域を転動する遊技球が内ガイドレールに衝突することによって、内ガイドレールが変形する（撓む）恐れがある。
【０００５】
そして、内ガイドレールが変形すると、内ガイドレールと遊技板との間に摩擦が生じて、内ガイドレール及び遊技板のうち少なくとも一方が破損（磨耗）する恐れがある。
特に、近年の遊技盤では、加工の容易性から、内ガイドレールが樹脂により形成されるため、内ガイドレールが変形し易く、内ガイドレール及び遊技板のうち少なくとも一方が破損する恐れが高くなっている。
【０００６】
ここで、内ガイドレールの変形を防止するために、内ガイドレールの長手方向（内ガイドレールが延びる方向）において、内ガイドレールと遊技板とを固定する固定手段の数を増やすことが考えられる。
しかしながら、上述した内ガイドレールにおいて固定手段の数を増やすと、内ガイドレールが、本来の形状に対して変形した状態で遊技板に固定される恐れが高くなる。
すなわち、内ガイドレールを薄く形成する場合、加工精度を高めることが困難となるため、内ガイドレールにおいて、隣り合う２つの固定手段の間隔や位置関係に誤差が生じ易くなる。
【０００７】
そして、隣り合う２つの固定手段の間隔や位置関係に誤差が生じると、当該隣り合う２つの固定手段の間において、内ガイドレールが、本来の形状に対して変形した状態で遊技板に固定されてしまう。
さらに、内ガイドレールが本来の形状に対して変形した状態で遊技板に固定されると、他の部材との接触が生じたり、遊技球の転動状態が意図しないものとなったり、種々の弊害が生じる場合がある。
本発明の課題は、遊技盤の破損を抑制することである。
【課題を解決するための手段】
【０００８】
上記目的を達成するために、第一の発明に係る遊技盤は、遊技領域が形成される遊技板と、該遊技板に取り付けられる外ガイドレール及び内ガイドレールと、を備え、前記外ガイドレールと前記内ガイドレールとの間に、発射装置によって発射された遊技球を前記遊技領域に案内する案内通路が形成されるとともに、前記内ガイドレールによって、前記遊技領域を区画する遊技機であって、前記遊技領域における前記内ガイドレールの内側に配設された装飾部材を備え、前記装飾部材は、前記内ガイドレールの内側への変形を抑止する変形抑止部を有することを特徴とする。
【０００９】
第一の発明に係る遊技盤では、装飾部材の変形抑止部によって、内ガイドレールの内側への変形が抑止される。
これにより、内ガイドレールと遊技板との間に摩擦が生じることが抑制され、内ガイドレール及び遊技板のうち少なくとも一方が破損（磨耗）することが抑制される。
したがって、第一の発明に係る遊技盤によれば、遊技盤の破損を抑制することが可能となる。
【００１０】
ここで、遊技盤としては、例えば、後述する遊技盤１が該当する。遊技領域としては、例えば、後述する遊技領域Ｒが該当する。遊技板としては、例えば、後述する遊技板１０が該当する。外ガイドレールとしては、例えば、後述する外ガイドレール２０が該当する。内ガイドレールとしては、例えば、後述する内ガイドレール３０が該当する。案内通路としては、例えば、後述する案内通路Ｓ１が該当する。装飾部材としては、例えば、後述すうる装飾部材４０が該当する。変形抑止部としては、例えば、後述する側板部４４が該当する。
【００１１】
また、第二の発明に係る遊技盤は、第一の発明に係る遊技盤において、前記変形抑止部は、前記内ガイドレールの内面に対して所定の間隔で配設されていることを特徴とする。
第二の発明に係る遊技盤では、変形抑止部が、内ガイドレールに接触しない状態で配設される。
したがって、第二の発明に係る遊技盤によれば、変形抑止部の接触による内ガイドレールの変形が防止され、遊技球の転動状態が意図しないものとなることを防止することが可能となる。
【００１２】
また、第三の発明に係る遊技盤は、第一又は第二の発明に係る遊技盤において、前記変形抑止部は、前記内ガイドレールの内面と並行な抑止面を有することを特徴とする。
第三の発明に係る遊技盤では、内ガイドレールの内側への変形をより適切に抑止することが可能となる。
ここで、抑止面としては、例えば、後述する抑止面４４ａが該当する。
【００１３】
さらに、第四の発明に係る遊技盤は、第一乃至第三のうちいずれか一の発明に係る遊技盤において、前記装飾部材は、前記遊技球が入賞可能な入賞口を有し、前記変形抑止部が配設されている位置は、前記入賞口が配設されている位置に対して上方であることを特徴とする。
一般的に、遊技盤では、遊技球を入賞口へ導くように、釘ｎが配設されている。
したがって、内ガイドレールでは、入賞口の側方あるいは下方に対応する部分（以下、入賞口対応部分とします）において、遊技領域を転動する遊技球が衝突する可能性が高くなっている。
【００１４】
そして、内ガイドレールでは、遊技球の衝突により入賞口対応部分が外側に向かって変形されると、入賞口対応部分より上方の部分が内側に向かって変形される。
この際、第四の発明に係る遊技盤では、入賞口が配設されている位置に対して上方の位置に配設された変形抑止部によって、内ガイドレールの内側への変形が抑止される。
したがって、第四の発明に係る遊技盤によれば、内ガイドレールの内側への変形をより適切に抑止することが可能となる。
ここで、入賞口としては、例えば、後述する遊技球受容部４２が該当する。
【発明の効果】
【００１５】
本発明によれば、遊技盤の破損を抑制することが可能となる。
【図面の簡単な説明】
【００１６】
【図１】本発明に係る遊技盤の正面図である。
【図２】図１に示す遊技盤の斜視図である。
【図３】図１に示す遊技盤に備えられる遊技板の正面図である。
【図４】図１に示す遊技盤に備えられる装飾部材の正面図である。
【図５】図１に示す遊技盤の部分拡大図である。
【図６】図１に示す遊技盤の作用を説明するための図である。
【発明を実施するための形態】
【００１７】
以下、本発明の実施形態を図面を参照しながら説明する。
本実施形態では、本発明に係る遊技盤１を、パチンコ機に適用している。
図１は、本発明に係る遊技盤の正面図である。図２は、図１に示す遊技盤の斜視図である。図３は、図１に示す遊技盤に備えられる遊技板の正面図である。図４は、図１に示す遊技盤に備えられる装飾部材の正面図である。図５は、図１に示す遊技盤の部分拡大図である。
【００１８】
遊技盤１は、パチンコ機の枠体（図示せず）に取り付けられる。パチンコ機には、遊技者の操作に応じて遊技球を発射可能な発射装置（図示せず）が配設されている。そして、パチンコ機では、発射装置により発射された遊技球は、遊技盤１に形成された後述する遊技領域Ｒを転動する。
図１及び図２に示すように、遊技盤１は、遊技板１０と、外ガイドレール２０と、内ガイドレール３０と、装飾部材４０と、を備えている。遊技板１０の正面には、外ガイドレール２０及び内ガイドレール３０によって、遊技球が転動する領域である遊技領域Ｒ及び発射装置によって発射された遊技球を遊技領域Ｒに案内する案内通路Ｓ１が形成される。
【００１９】
図３に示すように、遊技板１０は、平板状に形成されている。本実施形態では、遊技板１０は、アクリル等の透明な樹脂によって形成されている。ここで、パチンコ機では、遊技板１０の裏面側に、装飾シート、演出装置、演出ランプ等が配設される。そして、遊技者は、透明な樹脂によって形成された遊技板１０を介して、装飾シート、演出装置、演出ランプ等を視認することが可能となっている。
【００２０】
遊技板１０の中央部には、演出部材設置用貫通孔１１が設けられている。ここで、パチンコ機では、遊技板１０の背面側に、演出画像を表示可能な表示装置（図示せず）が配設される。そして、遊技者は、演出部材設置用貫通孔１１を介して、表示装置に表示された演出画像を視認することが可能となっている。
演出部材設置用貫通孔１１には、表示装置の下方の位置において遊技球を転動させることが可能なステージ装置（図示せず）、表示装置の周囲に配設される可動役物（図示せず）、表示装置の周囲を装飾する装飾部材（図示せず）が取り付けられる。
【００２１】
遊技板１０における演出部材設置用貫通孔１１の下方には、複合入賞装置設置用貫通孔１２が設けられている。複合入賞装置設置用貫通孔１２には、第一始動入賞装置及び大入賞装置を有する複合入賞装置（図示せず）が取り付けられる。ここで、第一始動入賞装置は、遊技球の入賞を検出して、特別図柄抽選の契機を与える。大入賞装置は、特別図柄抽選に当選した場合に開放状態となり、遊技球の入賞を検出して、賞球の払い出しの契機を与える。
【００２２】
遊技板１０における複合入賞装置設置用貫通孔１２の右方には、第二始動入賞装置設置用貫通孔１３が設けられている。第二始動入賞装置設置用貫通孔１３には、第二始動入賞装置（図示せず）が取り付けられる。ここで、第二始動入賞装置は、後述する普通図柄抽選に当選した場合に開放状態となり、遊技球の入賞を検出して、特別図柄抽選の契機を与える。
【００２３】
遊技板１０における第二始動入賞装置設置用貫通孔１３の上方には、ゲート装置設置用貫通孔１４が設けられている。ゲート装置設置用貫通孔１４には、ゲート装置（図示せず）が取り付けられる。ここで、ゲート装置は、遊技球の通過を検出して、普通図柄抽選の契機を与える。
遊技板１０における複合入賞装置設置用貫通孔１２の左方には、一般入賞装置用貫通孔１５が３つ設けられている。各一般入賞装置用貫通孔１５は、装飾部材４０に設けられた後述する各遊技球受容部４２とともに、一般入賞装置を構成する。ここで、一般入賞装置は、遊技球の入賞を検出して、賞球の払い出しの契機を与える。
【００２４】
遊技板１０における複合入賞装置設置用貫通孔１２の下方には、アウト口用貫通孔１６が設けられている。アウト口用貫通孔１６は、いずれの入賞装置にも入賞しなかった遊技球を遊技領域Ｒから排出するためのものである。
遊技板１０には、外ガイドレール２０を取り付けるための複数のネジ穴１７が設けられている。また、遊技板１０には、内ガイドレール３０を取り付けるための複数のネジ穴１８が設けられているとともに、内ガイドレール３０の位置決めを行うための複数（本実施形態では３つ）の固定穴１９が設けられている。
【００２５】
そして、遊技板１０の正面には、遊技球が転動する遊技領域Ｒが形成されている。遊技板１０における遊技領域Ｒには、各入賞装置（入賞口）等に遊技球を導くように、複数の釘ｎが配設されている。本実施形態では、遊技領域Ｒにおいて、演出部材設置用貫通孔１１の左側に形成された左側遊技球転動路Ｓ２と、演出部材設置用貫通孔１１の右側に形成された右側遊技球転動路Ｓ３と、が形成されている。
【００２６】
図１及び図２に示すように、外ガイドレール２０は、遊技領域Ｒの左方及び上方を囲むことができるように円弧状に構成されている。本実施形態では、外ガイドレール２０は、樹脂によって形成されている。
外ガイドレール２０は、案内通路Ｓ１を区画する第一構成部２１と、遊技領域Ｒを区画する第二構成部２２と、を有している。第一構成部２１及び第二構成部２２は、互いに連続するように一体に構成されている。
【００２７】
第一構成部２１は、正面から見て、遊技領域Ｒを中心として円弧状に延びるように形成された内側面２１ａを有している。内側面２１ａは、案内通路Ｓ１の外側の壁面を形成することによって、案内通路Ｓ１を区画する。
第二構成部２２は、正面から見て、遊技領域Ｒを中心として円弧状に延びるように形成された内側面２２ａを有している。内側面２２ａは、遊技領域Ｒの上側の壁面を形成することによって、遊技領域Ｒを区画する。
【００２８】
外ガイドレール２０では、内側面２１ａ及び内側面２２ａは、互いに連続するように設けられている。本実施形態では、内側面２１ａ及び内側面２２ａには、保護板２３が配設されている。保護板２３は、金属（板金）により形成されている。保護板２３は、内側面２１ａ及び内側面２２ａのほぼ全体を覆い、遊技球の接触による内側面２１ａ及び内側面２２ａの破損を防止する。
【００２９】
外ガイドレール２０には、複数のネジ孔２４が設けられている。各ネジ孔２４は、遊技板１０の各ネジ穴１７に対応している。そして、外ガイドレール２０は、一連となった各ネジ孔２４及び該ネジ孔２４に対応する遊技板１０のネジ穴１７にネジを螺合させることによって、遊技板１０の正面に取り付けられる。
図１及び図２に示すように、内ガイドレール３０は、遊技領域Ｒの右方、下方及び左方を囲むことができるように円弧状に構成されている。本実施形態では、内ガイドレール３０は、樹脂によって形成されている。
【００３０】
内ガイドレール３０は、遊技領域Ｒを区画する第一構成部３１と、遊技領域Ｒを区画するとともに、案内通路Ｓ１を区画する第二構成部３２と、を有している。第一構成部３１及び第二構成部３２は、互いに連続するように一体に構成されている。
第一構成部３１は、正面から見て、遊技領域Ｒを中心として円弧状に延びるように形成された内側面３１ａを有している。内側面３１ａは、遊技領域Ｒの右側から下側の壁面を形成することによって、遊技領域Ｒを区画する。
【００３１】
第二構成部３２は、所定の厚さ（例えば、１〜２ｍｍ程度）で、帯状に形成されている。第二構成部３２は、外ガイドレール２０の第一構成部２１の内側（遊技領域Ｒ側）に配設される。第二構成部３２は、正面から見て、遊技領域Ｒを中心として円弧状に延びるように形成された内側面３２ａ及び外側面３２ｂを有している。内側面３２ａは、遊技領域Ｒの左側の壁面を形成することによって、遊技領域Ｒを区画する。外側面３２ｂは、案内通路Ｓ１の内側の壁面を形成することによって、案内通路Ｓ１を区画する。
【００３２】
内ガイドレール３０では、内側面３１ａ及び内側面３２ａは、互いに連続するように設けられている。また、内ガイドレール３０では、外側面３２ｂは、外ガイドレール２０の内側面２１ａに対して略並行となるように設けられている。本実施形態では、内ガイドレール３０の先端部には、戻り防止板３３が配設されている。戻り防止板３３は、発射通路Ｓ１から遊技領域Ｒへの遊技球の進入を許容するが、遊技領域Ｒから発射通路Ｓ１への遊技球の進入を阻止する。
内ガイドレール３０には、複数のネジ孔３４が設けられている。ここで、第二構成部３２においては、先端部及び第一構成部３１側の端部（以下、基端部とします）のそれぞれに、ネジ孔３４が設けられている。各ネジ孔３４は、遊技板１０の各ネジ穴１８に対応している。
【００３３】
第二構成部３２の裏面には、遊技板１０における位置決めを行うための複数の固定ピン３５が設けられている。各固定ピン３５は、後方に向かって突出するように設けられている。本実施形態では、第二構成部３２の裏面において、３つの固定ピン３５ａ，３５ｂ，３５ｃが設けられている。具体的には、固定ピン３５ａは、第二構成部３２の先端部に設けられている。固定ピン３５ｂ及び固定ピン３５ｃは、第二構成部３２の先端部と基端部との間において設けられている。この際、固定ピン３５ａと固定ピン３５ｂとの間隔、固定ピン３５ｂと固定ピン３５ｃとの間隔及び固定ピン３５ｃと基端部に設けられたネジ孔３４との間隔は、ほぼ同一となっている。各固定ピン３５ａ，３５ｂ，３５ｃは、遊技板１０の各固定穴１９に対応している。
【００３４】
そして、内ガイドレール３０は、一連となった各ネジ孔３４及び該ネジ孔３４に対応する遊技板１０のネジ穴１８にネジを螺合させることによって、遊技板１０の正面に取り付けられる。この際、第二構成部３２の各固定ピン３５ａ，３５ｂ，３５ｃが、該固定ピン３５ａ，３５ｂ，３５ｃに対応する遊技板の固定穴１９に嵌合されることによって、遊技板１０における第二構成部３２の位置決めが行われる。
【００３５】
遊技盤１では、外ガイドレール２０の内側面２２ａと、内ガイドレール３０の内側面３１ａ及び内側面３２ａと、が一連の壁面となって、遊技領域Ｒの外縁を区画する。また、遊技盤１では、外ガイドレール２０の内側面２１ａと内ガイドレール３０の外側面３２ｂとの間に、発射通路Ｓ１が形成される。ここで、外ガイドレール２０（内側面２１ａ、内側面２２ａ）の前後方向の幅と、内ガイドレール３０（内側面３１ａ、内側面３２ａ、外側面３２ｂ）の前後方向の幅とは、ほぼ同一となっている。
【００３６】
また、パチンコ機の枠体には、透明板を有する正面扉が配設されている。そして、遊技盤１が枠体に取り付けられた状態では、正面扉の透明板が、遊技盤１の正面側を覆う。これによって、遊技板１０の正面と正面扉の透明板の背面との間において、遊技領域Ｒ及び発射通路Ｓ１が形成される。
図４に示すように、装飾部材４０は、平板状に形成された背面板４１と、背面板４１の正面に設けられた遊技球受容部４２（入賞口）及び遊技球誘導部４３と、を有している。本実施形態では、装飾部材４０は、樹脂によって形成されている。
【００３７】
遊技球受容部４２は、上方が開放したポケット状に形成されている。遊技球受容部４２は、遊技板１０の一般入賞装置用貫通孔１５とともに、一般入賞装置を構成する。本実施形態では、装飾部材４０において、３つの遊技球受容部４２が設けられている。
ここで、遊技領域Ｒでは、３つの遊技球受容部４２の下方において、各遊技球受容部４２に入賞しなかった遊技球をアウト口用貫通孔１６に向かって転動させる下部遊技球転動路Ｓ４が形成されている。そこで、本実施形態では、下部遊技球転動路Ｓ４における遊技球の詰まりを防止するために、各遊技球受容部４２の外面と内ガイドレール３０の内側面３２ａとの間隔が、遊技球の直径の２倍以上となるように設定されている。
【００３８】
遊技球誘導部４３は、正面から見てＬ字形に配設された、側板部４４（変形抑止部）及び底板部４５を有している。遊技球誘導部４３は、上方及び右方が開放した形状を有している。これによって、遊技球誘導部４３は、左側遊技球転動路Ｓ２を転動する遊技球を、一般入賞装置及び複合入賞装置の上方に誘導する。ここで、装飾部材４０では、遊技球誘導部４３の側板部４４が配設されている位置は、３つの遊技球受容部４２が配設されている位置に対して上方となっている。
【００３９】
側板部４４は、平板状に形成されている。側板部４４の外面には、抑止面４４ａが形成されている。抑止面４４ａは、内ガイドレール３０の内側面３２ａと並行となるように形成されている。抑止面４４ａの前後方向の幅は、内ガイドレール３０（内側面３２ａ）の前後方向の幅とほぼ同一となっている。
装飾部材４０は、ネジ止めによって、遊技板１０の正面に取り付けられる。この際、図５に示すように、抑止面４４ａは、内ガイドレール３０の内側面３２ａに対して所定の間隔（例えば、０．５ｍｍ程度）で配設される。また、抑止面４４ａは、内ガイドレール３０の固定ピン３５ｂと固定ピン３５ｃとの間に対応する位置に配設される。これによって、側板部４４は、内ガイドレール３０の第二構成部３２の内側への変形を抑止する。
【００４０】
（遊技盤１の作用）
次に、遊技盤１の作用について説明する。
図６は、図１に示す遊技盤の作用を説明するための図である。なお、図６では、説明のために装飾部材４０の表示を省略している。
発射装置により発射された遊技球Ｐ（図６参照）は、案内通路Ｓ１によって案内されて、遊技領域Ｒの上部に進入する。そして、遊技領域Ｒの上部に進入した遊技球Ｐは、左側遊技球転動路Ｓ２又は右側遊技球転動路Ｓ３を下方に向かって転動する。
左側遊技球転動路Ｓ２を転動する遊技球Ｐは、遊技球誘導部４３によって、３つの遊技球受容部４２の上方に誘導される。
【００４１】
そして、３つの遊技球受容部４２の上方に誘導された遊技球Ｐのうち一部の遊技球Ｐは、各遊技球受容部４２に向かって転動する。
ここで、各遊技球受容部４２に入賞せずに下部遊技球転動路Ｓ４側に落下した遊技球Ｐは、内ガイドレール３０の第二構成部３２の内側面３２ａにおける該遊技球受容部４２の下方に対応する位置（以下、受容部下方位置とする）に衝突する。
図６に示すように、装飾部材４０を備えていない状態で、受容部下方位置に遊技球Ｐが衝突すると、第二構成部３２における受容部下方位置に対応する部分が、外側（図６においてαで示す向き）に向かって変形される。
【００４２】
また、第二構成部３２における受容部下方位置に対応する部分が外側に向かって変形されると、第二構成部３２における受容部下方位置より上方に位置する部分（以下、上方部分とします）が、内側（図６においてβで示す向き）に向かって変形される。
これによって、内ガイドレール３０の第二構成部３２の背面と遊技板１０の正面との間に摩擦が生じて、内ガイドレール３０及び遊技板１０のうち少なくとも一方が破損（磨耗）する恐れがある。
これに対して、遊技盤１では、装飾部材４０の側板部４４によって、第二構成部３２における上方部分の内側への変形が抑止される。
【００４３】
また、第二構成部３２における上方部分の内側への変形が抑止されることによって、第二構成部３２における受容部下方位置に対応する部分の外側への変形も抑止される。
したがって、遊技盤１によれば、内ガイドレール３０と遊技板１０との間に摩擦が生じることが抑制され、内ガイドレール３０及び遊技板１０のうち少なくとも一方が破損することを抑制することが可能となる。
【００４４】
特に、遊技盤１では、側板部４４が、内ガイドレール３０に接触しない状態で配設されている。したがって、側板部４４の接触による内ガイドレール３０の変形が防止され、遊技球Ｐの転動状態が意図しないものとなることを防止することが可能となる。
また、遊技盤１では、側板部４４が配設されている位置が、３つの遊技球受容部４２が配設されている位置に対して上方となっている。したがって、第二構成部３２における上方部分の内側への変形を抑止することができ、内ガイドレールの変形をより適切に抑止することが可能となる。
【００４５】
（変形例）
以上、本発明の実施形態について説明したが、上記実施形態では、種々の変更を行うことが可能である。
例えば、上記実施形態では、遊技球誘導部４３の側板部４４を、内ガイドレール３０の変形を抑止する変形抑止部として構成している。
しかしながら、装飾部材４０において、変形抑止部を独立して設けても構わない。
【００４６】
また、装飾部材４０において、複数の変形抑止部を設けても構わない。この場合、各変形抑止部は、内ガイドレール２０の隣り合う両固定ピン３５の間、隣り合うネジ孔３４と固定ピン３５との間又は隣り合う両ネジ孔３４の間に対応する位置に配設されることが好ましい。
さらに、上記実施形態では、側板部４４が、内ガイドレール３０に接触しない状態で配設されている。しかしながら、側板部４４を、内ガイドレール３０に接触するように配設しても構わない。
【符号の説明】
【００４７】
１      遊技盤
１０    遊技板
１１    演出部材設置用貫通孔
１２    複合入賞装置設置用貫通孔
１３    第二始動入賞装置設置用貫通孔
１４    ゲート装置設置用貫通孔
１５    一般入賞装置用貫通孔
１６    アウト口用貫通孔
１７    ネジ穴
１８    ネジ穴
１９    固定穴
２０    外ガイドレール
２１    第一構成部
２１ａ  内側面
２２    第二構成部
２２ａ  内側面
２３    保護板
２４    ネジ孔
３０    内ガイドレール
３１    第一構成部
３１ａ  内側面
３２    第二構成部
３２ａ  内側面
３２ｂ  外側面
３３    戻り防止板
３４    ネジ孔
３５    固定ピン
４０    装飾部材
４１    背面板
４２    遊技球受容部
４４    側板部（変形抑止部）
４４ａ  抑止面
４５    底板部
Ｒ      遊技領域
Ｓ１    案内通路
Ｓ２    左側遊技球転動路
Ｓ３    右側遊技球転動路
Ｓ４    下部遊技球転動路
ｎ      釘
Ｐ      遊技球
【図１】
2015163266.tif 000003
【図２】
2015163266.tif 000004
【図３】
2015163266.tif 000005
【図４】
2015163266.tif 000006
【図５】
2015163266.tif 000007
【図６】
2015163266.tif 000008
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
遊技領域が形成される遊技板と、該遊技板に取り付けられる外ガイドレール及び内ガイドレールと、を備え、
前記外ガイドレールと前記内ガイドレールとの間に、発射装置によって発射された遊技球を前記遊技領域に案内する案内通路が形成されるとともに、
前記内ガイドレールによって、前記遊技領域を区画する遊技盤であって、
前記遊技領域における前記内ガイドレールの内側に配設された装飾部材と、
前記内ガイドレールに備えられた、前記遊技領域を区画する第一構成部及び前記遊技領域を区画するとともに前記案内通路を区画する第二構成部と、
前記第二構成部の先端部に設けられた第一固定ピン並びに前記第二構成部の前記先端部とは異なる位置に設けられた第二固定ピン及び第三固定ピンと、
前記第二構成部の前記先端部に設けられ、前記案内通路から前記遊技領域への遊技球の進入を許容するが前記遊技領域から前記案内通路への遊技球の進入を阻止する戻り防止板と、
前記第二固定ピンと前記第三固定ピンとの間で前記装飾部材に設けられ、前記第二構成部の下方部分に遊技球が衝突した際の前記内ガイドレールの内側への変形を抑止する変形抑止部と、
を備えることを特徴とする遊技盤。
【請求項２】
前記変形抑止部は、
前記内ガイドレールの内面に対して所定の間隔で配設されていることを特徴とする請求項１に記載の遊技盤。
【請求項３】
前記変形抑止部は、
前記内ガイドレールの内面と並行な抑止面を有することを特徴とする請求項１又は２に記載の遊技盤。
【請求項４】
前記装飾部材は、
前記遊技球が入賞可能な入賞口を有し、
前記変形抑止部が配設されている位置は、
前記入賞口が配設されている位置に対して上方であることを特徴とする請求項１乃至３のうちいずれか一項に記載の遊技盤。
【手続補正２】
【補正対象書類名】明細書
【補正対象項目名】０００８
【補正方法】変更
【補正の内容】
【０００８】
上記目的を達成するために、第一の発明に係る遊技盤は、遊技領域が形成される遊技板と、該遊技板に取り付けられる外ガイドレール及び内ガイドレールと、を備え、前記外ガイドレールと前記内ガイドレールとの間に、発射装置によって発射された遊技球を前記遊技領域に案内する案内通路が形成されるとともに、前記内ガイドレールによって、前記遊技領域を区画する遊技盤であって、前記遊技領域における前記内ガイドレールの内側に配設された装飾部材と、前記内ガイドレールに備えられた、前記遊技領域を区画する第一構成部及び前記遊技領域を区画するとともに前記案内通路を区画する第二構成部と、前記第二構成部の先端部に設けられた第一固定ピン並びに前記第二構成部の前記先端部とは異なる位置に設けられた第二固定ピン及び第三固定ピンと、前記第二構成部の前記先端部に設けられ、前記案内通路から前記遊技領域への遊技球の進入を許容するが前記遊技領域から前記案内通路への遊技球の進入を阻止する戻り防止板と、前記第二固定ピンと前記第三固定ピンとの間で前記装飾部材に設けられ、前記第二構成部の下方部分に遊技球が衝突した際の前記内ガイドレールの内側への変形を抑止する変形抑止部と、を備えることを特徴とする。
【手続補正３】
【補正対象書類名】明細書
【補正対象項目名】００３２
【補正方法】変更
【補正の内容】
【００３２】
内ガイドレール３０では、内側面３１ａ及び内側面３２ａは、互いに連続するように設けられている。また、内ガイドレール３０では、外側面３２ｂは、外ガイドレール２０の内側面２１ａに対して略並行となるように設けられている。本実施形態では、内ガイドレール３０の先端部には、戻り防止板３３が配設されている。戻り防止板３３は、案内通路Ｓ１から遊技領域Ｒへの遊技球の進入を許容するが、遊技領域Ｒから案内通路Ｓ１への遊技球の進入を阻止する。
内ガイドレール３０には、複数のネジ孔３４が設けられている。ここで、第二構成部３２においては、先端部及び第一構成部３１側の端部（以下、基端部とします）のそれぞれに、ネジ孔３４が設けられている。各ネジ孔３４は、遊技板１０の各ネジ穴１８に対応している。
【手続補正４】
【補正対象書類名】明細書
【補正対象項目名】００３５
【補正方法】変更
【補正の内容】
【００３５】
遊技盤１では、外ガイドレール２０の内側面２２ａと、内ガイドレール３０の内側面３１ａ及び内側面３２ａと、が一連の壁面となって、遊技領域Ｒの外縁を区画する。また、遊技盤１では、外ガイドレール２０の内側面２１ａと内ガイドレール３０の外側面３２ｂとの間に、案内通路Ｓ１が形成される。ここで、外ガイドレール２０（内側面２１ａ、内側面２２ａ）の前後方向の幅と、内ガイドレール３０（内側面３１ａ、内側面３２ａ、外側面３２ｂ）の前後方向の幅とは、ほぼ同一となっている。
【手続補正５】
【補正対象書類名】明細書
【補正対象項目名】００３６
【補正方法】変更
【補正の内容】
【００３６】
また、パチンコ機の枠体には、透明板を有する正面扉が配設されている。そして、遊技盤１が枠体に取り付けられた状態では、正面扉の透明板が、遊技盤１の正面側を覆う。これによって、遊技板１０の正面と正面扉の透明板の背面との間において、遊技領域Ｒ及び案内通路Ｓ１が形成される。
図４に示すように、装飾部材４０は、平板状に形成された背面板４１と、背面板４１の正面に設けられた遊技球受容部４２（入賞口）及び遊技球誘導部４３と、を有している。本実施形態では、装飾部材４０は、樹脂によって形成されている。
【手続補正６】
【補正対象書類名】明細書
【補正対象項目名】００４６
【補正方法】変更
【補正の内容】
【００４６】
また、装飾部材４０において、複数の変形抑止部を設けても構わない。この場合、各変形抑止部は、内ガイドレール３０の隣り合う両固定ピン３５の間、隣り合うネジ孔３４と固定ピン３５との間又は隣り合う両ネジ孔３４の間に対応する位置に配設されることが好ましい。
さらに、上記実施形態では、側板部４４が、内ガイドレール３０に接触しない状態で配設されている。しかしながら、側板部４４を、内ガイドレール３０に接触するように配設しても構わない。